(57)【要約】      （修正有）【課題】種々の形状を備えた物品を好ましく包み込むことにより該物品全体を均一に冷却することができるようにした保冷具を提供する。【解決手段】可撓性を有する二枚の合成樹脂シート１ａ、１ｂを相互に密接させ、当該二枚の合成樹脂シート間には多数の長室を一方向に並設し、該長室は該長室の周囲をシールすることにより長室形成用シール部７を形成してなり、該長室形成用シール部には保冷剤９を該長室内に注入するための注入用開口部を備えさせ、各長室には一つの小室に充填するに適した量の保冷剤を該注入用開口部より該長室内の最奥部まで注入した後、各長室を横切る方向の小室区画用シール部１３を形成することにより各長室内の最奥部に該保冷剤を充填した小室１５を形成し、以後同様にして各長室内に保冷剤を充填した小室を順次形成した後、前記注入用開口部を密閉してなる保冷具。【選択図】図６
2013119392.tif 000002
【特許請求の範囲】
【請求項１】
可撓性を有する二枚の合成樹脂シートを相互に密接させ、当該二枚の合成樹脂シート間には多数の長室を一方向に並設し、該長室は該長室の周囲をシールすることにより長室形成用シール部を形成してなり、該長室形成用シール部には保冷剤を該長室内に注入するための注入用開口部を備えさせ、各長室には一つの小室に充填するに適した量の保冷剤を該注入用開口部より該長室内の最奥部まで注入した後、各長室を横切る方向の小室区画用シール部を形成することにより各長室内の最奥部に該保冷剤を充填した小室を形成し、以後同様にして各長室内に保冷剤を充填した小室を順次形成した後、前記注入用開口部を密閉してなることを特徴とする保冷具。
【請求項２】
前記各小室は平面視略円形状をなすことを特徴とする請求項１に記載の保冷具。
【請求項３】
可撓性を有する合成樹脂シートに多数の小室を形成し、当該各小室内に保冷剤を充填してなることを特徴とする保冷具。
【発明の詳細な説明】
【技術分野】
【０００１】
本発明は、保冷具に関するものであり、特に、種々の形状を備えた物品を好ましく包み込むことにより物品全体を均一に冷却することができるようにした可撓性を備えたシート状の保冷具に係るものである。
【背景技術】
【０００２】
保冷具としては、ポリエチレン等の合成樹脂により形成した浅い箱状体内に保冷剤を充填してなるもの（以下「従来の保冷具」という。）が従来より一般に使用されている。
【０００３】
一方、例えば特開２０１１−２５９５９号公報に示すように、可撓性を有する二枚の合成樹脂シートを相互に密着させ、該合成樹脂シート間に多数の空気室（小室）を形成してなるシート状緩衝材が広く知られている。該シート状緩衝材は、「プチプチ」（登録商標）とも呼ばれている。
【先行技術文献】
【特許文献】
【０００４】
【特許文献１】特開２０１１−２５９５９号公報
【発明の概要】
【発明が解決しようとする課題】
【０００５】
上記従来の保冷具は、合成樹脂により形成した浅い箱状体内に保冷剤を充填してなるものであり、可撓性を有しない。したがって、従来の保冷具は、物品の一面に当接させることにより該物品の当該一面を冷却することができるものの、該物品を包み込むことにより該物品全体を均一に冷却することができないという問題がある。
【０００６】
本発明は、上記従来の保冷具における上述の如き問題を解決し、種々の形状を備えた物品を好ましく包み込むことにより該物品全体を均一に冷却することができるようにした保冷具を提供しようとしてなされたものである。
【課題を解決するための手段】
【０００７】
上記課題を解決するために、本発明者は、いわば、上記従来のシート状緩衝材における小室に保冷剤を充填してなるが如き保冷具に想到した。
【０００８】
すなわち、本発明は、下記の保冷具を提供する。
【０００９】
（１）可撓性を有する二枚の合成樹脂シートを相互に密接させ、当該二枚の合成樹脂シート間には多数の長室を一方向に並設し、該長室は該長室の周囲をシールすることにより長室形成用シール部を形成してなり、該長室形成用シール部には保冷剤を該長室内に注入するための注入用開口部を備えさせ、各長室には一つの小室に充填するに適した量の保冷剤を該注入用開口部より該長室内の最奥部まで注入した後、各長室を横切る方向の小室区画用シール部を形成することにより各長室内の最奥部に該保冷剤を充填した小室を形成し、以後同様にして各長室内に保冷剤を充填した小室を順次形成した後、前記注入用開口部を密閉してなることを特徴とする保冷具（請求項１）。
【００１０】
（２）前記各小室は平面視略円形状をなす（請求項２）。
【００１１】
（３）可撓性を有する合成樹脂シートに多数の小室を形成し、当該各小室内に保冷剤を充填してなることを特徴とする保冷具（請求項３）。
【発明の効果】
【００１２】
本発明による保冷具は、可撓性を有する合成樹脂シートに多数の小室を形成し、当該各小室内に保冷剤を充填してなるものであるため、種々の形状を備えた物品を好ましく包み込むことにより該物品全体を均一に冷却することができるという優れた効果を発揮する。また、本発明による保冷具は安価に提供することができる。
【図面の簡単な説明】
【００１３】
【図１】図１は、本発明による保冷具の一例を示す斜視図である。
【図２】図２は、同上保冷具の製造工程を示す平面図である。
【図３】図３は、同上保冷具の製造工程を示す別の平面図である。
【図４】図４は、同上保冷具の製造工程を示す更に別の平面図である。
【図５】図５は、同上保冷具の製造工程を示す更に別の平面図である。
【図６】図６は、同上保冷具の製造工程を示す更に別の平面図である。
【図７】図７は、同上保冷具の一例を示す断面図である。
【図８】図８は、同上保冷具の別の一例を示す断面図である。
【図９】図９は、同上保冷具をビール収納瓶に巻き付けた状態を示す断面図である。
【発明を実施するための形態】
【００１４】
本発明による保冷具は、可撓性を有する合成樹脂シート１に多数の小室を形成し、当該各小室内に保冷剤を充填してなるものである。
【００１５】
保冷具は、一例として、図２〜図８に示すように、下記の如く製造される。
【００１６】
（１）可撓性を有する二枚の合成樹脂シート１ａ、１ｂを相互に密接させ、当該二枚の合成樹脂シート１ａ、１ｂ間には多数の長室（長い室）５を一方向に並設する。すなわち、長室５は該長室５の周囲をシールすることにより長室形成用シール部７を形成してなる。該長室形成用シール部７には保冷剤９を該長室５内に注入するための注入用開口部１１を備えさせる。図２参照。
【００１７】
合成樹脂シート１ａ、１ｂは、例えばポリエチレン、ポリプロピレン等により形成される。各合成樹脂シート１ａ、１ｂの厚さは、例えば１０〜２００μｍとする。
【００１８】
保冷剤（蓄冷剤）９としては、例えばアクリルアミド又はメタクリルアミド及びその架橋性単量体（Ｎ，Ｎ−メチレンビスアクリルアミド又はＮ，Ｎ−メチレンビスメタクリルアミド）の弾性重合体の含水ゲルが用いられる。
【００１９】
（２）各長室５には一つの小室に充填するに適した量の保冷剤９を該注入用開口部１１より該長室５内の最奥部まで注入する。図３参照。
【００２０】
（３）各長室５を横切る方向の小室区画用シール部１３を形成することにより各長室５内の最奥部に該保冷剤９を充填した小室１５を形成する。図４参照。
【００２１】
（４）以後同様にして各長室５内に保冷剤９を充填した小室１５を順次形成する。図５、図６参照。
【００２２】
（５）更に、前記注入用開口部１１を密閉する。すなわち、該注入用開口部１１をシールして開口部密閉シール部７ａを形成することにより密閉する。図６参照。保冷具は、以上の（１）〜（５）により製造される。開口部密閉シール部７ａは、小室区画用シール部１３と同様に、小室１５を形成する役割をも果たすものである。
【００２３】
各小室１５は、好ましくは、平面視略円形状をなす。図１参照。例えば、各小室１５の直径は３〜１０ｍｍ、高さは２〜７ｍｍ、各小室１５の中心間隔は５〜１５ｍｍとする。
【００２４】
図８に示す事例においては、可撓性を有する二枚の合成樹脂シート１ａ’、１ｂ’を相互に密着させ、該合成樹脂シート１ａ’、１ｂ’間に多数の小室１５’を形成し、各小室１５’内に保冷剤９’を充填している。
【００２５】
すなわち、図８に示す事例においては、例えばポリエチレン、ポリプロピレン等の一方の合成樹脂シート１ａ’に対し真空成形等により多数の凸部１７を該合成樹脂シート１ａ’の一面（図８における上側の面）に突設し、該合成脂シート１ａ’の他面（図８における下側の面）にポリエチレン、ポリプロピレン等の平らな他方の合成樹脂シート１ｂ’を融着させ、当該一方の合成樹脂シート１ａ’における各凸部１７と他方の平らな合成樹脂シート１ｂ’とにより各小室１５’を形成している。
【００２６】
各合成樹脂シート１ａ’、１ｂ’の厚さは、例えば１０〜２００μｍとする。また、各小室１５’は、好ましくは平面視略円形状とする。例えば、各小室１５’の直径は３〜１０ｍｍ、高さは２〜７ｍｍ、各小室１５’の中心間隔は５〜１５ｍｍとする。
【００２７】
各小室１５’内に充填する保冷剤（蓄冷剤）９’は、前記保冷剤９と同様である。
【００２８】
本発明による保冷具は、可撓性を有するため、例えば袋状に形成し、或いは円筒状に巻いて使用することもできる。図９に示す事例においては、ビール収納瓶１９の周面に保冷具を巻き付けている。
【符号の説明】
【００２９】
１  合成樹脂シート
１ａ  合成樹脂シート
１ａ’  合成樹脂シート
１ｂ  合成樹脂シート
１ｂ’  合成樹脂シート
５  長室
７  長室形成用シール部
７ａ  開口部密閉シール部
９  保冷剤
９’  保冷剤
１１  注入用開口部
１３  小室区画用シール部
１５  小室
１５’  小室
１７  凸部
１９  ビール収納瓶
【図１】
2013119392.tif 000003
【図２】
2013119392.tif 000004
【図３】
2013119392.tif 000005
【図４】
2013119392.tif 000006
【図５】
2013119392.tif 000007
【図６】
2013119392.tif 000008
【図７】
2013119392.tif 000009
【図８】
2013119392.tif 000010
【図９】
2013119392.tif 000011